(57)【要約】【課題】接続された様々な機器が自動的に入手した情報を自動的かつ迅速に表示する。【解決手段】この情報表示システム１は、家庭内において、テレビジョン受像機１０と、第１〜３の機器（それぞれ２０、３０、４０）とから構成されている。ここで、第１の機器２０はゲーム機である。第１〜３の機器はそれぞれがＨＤＭＩケーブルを介してテレビジョン受像機１０と接続されている。これにより、各機器はＣＥＣを用いて、テレビジョン受像機１０からの命令を受け、情報の授受を行うことができる。このテレビジョン受像機１０は、その電源がオンとされる際に、第１〜３の機器２０、３０、４０を制御し、これらが入手した情報を自動的に取得する。入手した情報が過去に表示されたものでないと判定された場合には、これを映像表示部１１に表示し、この情報はメモリ部１３が記憶する。【選択図】図１
2009021925.tif 000002
【特許請求の範囲】
【請求項１】
ネットワークを介して情報を入手する機能を有する機器と接続され、前記情報を前記機器から入手して映像表示部で表示する映像表示装置であって、
前記機器に対して前記機器の制御を行う信号を発し、前記機器から前記情報を入手する情報送受信部と、
表示された前記情報を記憶するメモリ部と、
を有することを特徴とする映像表示装置。
【請求項２】
前記情報送受信部は、前記映像表示装置が電源オンとされた際に前記情報を入手し、前記情報が前記メモリ部に記憶されていない場合に、前記映像表示部が前記情報を表示し、かつ前記メモリ部が前記情報を記憶することを特徴とする請求項１に記載の映像表示装置。
【請求項３】
前記情報送受信部は、定期的に前記情報を入手し、前記情報が前記メモリ部に記憶されていない場合に、前記映像表示部が前記情報を表示し、かつ前記メモリ部が前記情報を記憶することを特徴とする請求項１または２に記載の映像表示装置。
【請求項４】
前記情報送受信部は、前記機器が前記情報を入手したとの通知を前記機器が前記情報送受信部に発した場合に前記情報を入手し、前記情報が前記メモリ部に記憶されていない場合に、前記映像表示部が前記情報を表示し、かつ前記メモリ部が前記情報を記憶することを特徴とする請求項１から請求項３までのいずれか１項に記載の映像表示装置。
【請求項５】
前記機器と前記映像表示装置との接続はＨＤＭＩ（Ｈｉｇｈ  Ｄｅｆｉｎｉｔｉｏｎ  Ｍｕｌｔｉｍｅｄｉａ Ｉｎｔｅｒｆａｃｅ）により行われることを特徴とする請求項１から請求項４までのいずれか１項に記載の映像表示装置。
【請求項６】
前記機器と前記映像表示装置による前記機器の制御はＣＥＣ（Ｃｏｎｓｕｍｅｒ  Ｅｌｅｃｔｒｏｎｉｃｓ  Ｃｏｎｔｒｏｌ）により行われることを特徴とする請求項５に記載の映像表示装置。
【請求項７】
テレビジョン受像機であることを特徴とする請求項１から請求項６までのいずれか１項に記載の映像表示装置。
【請求項８】
請求項１から請求項７までのいずれか１項に記載の映像表示装置と前記機器とから構成されことを特徴とする情報表示システム。
【請求項９】
ネットワークを介して情報を入手する機能を有する機器と接続され、前記機器から前記情報を入手し、前記情報を映像表示部で表示する映像表示装置における情報表示方法であって、
前記機器を制御して、前記機器に前記情報を発信させて前記情報を入手する情報入手工程と、
前記情報を映像表示部で表示させる表示工程とを有することを特徴とする情報表示方法。
【請求項１０】
前記表示工程の前に、前記映像表示部が過去に表示した情報の中に前記情報が含まれるか否かを判定する情報判定工程を有し、
前記表示工程において、前記映像表示部が過去に表示した情報の中に前記情報が含まれない場合に、前記情報を表示することを特徴とする請求項９に記載の情報表示方法。
【請求項１１】
前記映像表示装置が電源オンとされる際に前記情報入手工程を行うことを特徴とする請求項９または１０に記載の情報表示方法。
【請求項１２】
定期的に前記情報入手工程を行うことを特徴とする請求項９から請求項１１までのいずれか１項に記載の情報表示方法。
【請求項１３】
前記機器が前記情報を入手したとの通知を前記機器が前記映像表示装置に発した場合に、前記情報入手工程を行うことを特徴とする請求項９から請求項１２までのいずれか１項に記載の情報表示方法。
【発明の詳細な説明】
【技術分野】
【０００１】
本発明は、ネットワークに接続されて情報を自動的に入手することのできる各種の機器と接続されて使用される映像表示装置、及びこの映像表示装置とこの機器とから構成される情報表示システムに関する。また、この情報表示システムにおける各機器の情報の表示方法に関する。
【背景技術】
【０００２】
近年、家庭内では各種の電気機器が用いられている。その中で、一般に最も利用頻度の高い機器はテレビジョン受像機である。テレビジョン受像機はテレビ番組の映像を表示することが主な機能であるが、特にその映像表示部が大きく見易いために、テレビ番組の映像以外の画像信号を入力させ、各種の画像情報も表示させて用いることができる。すなわち、テレビジョン受像機は最も使いやすく身近な映像表示装置として用いられている。
【０００３】
例えば、テレビジョン受像機をゲーム機に接続して、テレビ番組の映像の代わりにゲーム機の映像を表示させ、利用者がゲームを行うことも行われている。また、同様にデジタルカメラ・ビデオの画像やＤＶＤソフトの映像等、他の映像情報も表示させることができる。
【０００４】
また、特許文献１には、テレビジョン受像機に携帯電話機の機能を持たせ、携帯電話機で受信したショートメールの内容をテレビジョン受像機の映像表示部で表示させる技術が記載されている。この技術においては、利用者が本来の携帯電話機とこのテレビジョン受像機とを適宜切り替えることにより、携帯電話機における電子メール機能をより使いやすくしている。
【０００５】
このように、テレビジョン受像機以外の機器の出力情報をテレビジョン受像機を用いて表示させ、これらの機器をより使いやすくすることができた。
【特許文献１】特開２００２−１１２１３９号公報
【発明の開示】
【発明が解決しようとする課題】
【０００６】
近年、インターネット等のネットワークによって外部と接続される機器が増えている。こうした機器においては、ネットワークを介してその機器に関する各種の情報が自動的に入力される場合がある。例えば、インターネットに接続されたゲーム機においては、無料サービスの情報や、ソフトウェアのバージョン情報、各種ソフトウェアのダウンロード情報等の情報が自動的に入力される。上記の形態においては、こうした情報もゲームの画面と同様にテレビジョン受像機で表示することができるが、その表示は情報の入手後に利用者がこのゲーム機を使用することによって初めて行われた。従って、利用者がこのゲーム機を使用しない限り、こうした情報はゲーム機に自動的に蓄積される一方であり、利用者がこれを知ることはない。従って、利用者が次回にこのゲーム機を使用する際に表示されるまで、利用者がこの新着情報を知ることは不可能であった。しかしながら、新着情報の中には、例えばある日時に一時的にサービスが停止されることの連絡のように、比較的緊急度の高いものもある。こうした場合でも、情報を入手した後でゲーム機が使用されない限り、利用者がこの内容を知ることはできなかった。
【０００７】
上記の特許文献１に記載の技術においては、ショートメールを受信した際にその内容をテレビジョン受像機に表示させることができ、携帯電話機におけるショートメールの機能については上記の要求を満たしていた。しかしながら、様々な機器、例えばゲーム機が入手した情報に同様に対処することは不可能であった。
【０００８】
従って、接続された様々な機器が自動的に入手した情報を自動的に表示することのできるシステムが望まれた。
【０００９】
本発明は、斯かる問題点に鑑みてなされたものであり、上記問題点を解決する発明を提供することを目的とする。
【課題を解決するための手段】
【００１０】
本発明は、上記課題を解決すべく、以下に掲げる構成とした。
本発明の映像表示装置は、ネットワークを介して情報を入手する機能を有する機器と接続され、前記情報を前記機器から入手して映像表示部で表示する映像表示装置であって、前記機器に対して前記機器の制御を行う信号を発し、前記機器から前記情報を入手する情報送受信部と、表示された前記情報を記憶するメモリ部と、を有することを特徴とする。
本発明の映像表示装置において、前記情報送受信部は、前記映像表示装置が電源オンとされた際に前記情報を入手し、前記情報が前記メモリ部に記憶されていない場合に、前記映像表示部が前記情報を表示し、かつ前記メモリ部が前記情報を記憶することを特徴とする。
本発明の映像表示装置において、前記情報送受信部は、定期的に前記情報を入手し、前記情報が前記メモリ部に記憶されていない場合に、前記映像表示部が前記情報を表示し、かつ前記メモリ部が前記情報を記憶することを特徴とする。
本発明の映像表示装置において、前記情報送受信部は、前記機器が情報を入手したとの通知を前記機器が前記情報送受信部に発した場合に前記情報を入手し、前記情報が前記メモリ部に記憶されていない場合に、前記映像表示部が前記情報を表示し、かつ前記メモリ部が前記情報を記憶することを特徴とする。
本発明の映像表示装置において、前記機器と前記映像表示装置との接続はＨＤＭＩ（Ｈｉｇｈ  Ｄｅｆｉｎｉｔｉｏｎ  Ｍｕｌｔｉｍｅｄｉａ Ｉｎｔｅｒｆａｃｅ）により行われることを特徴とする。
本発明の映像表示装置において、前記機器と前記映像表示装置による前記機器の制御はＣＥＣ（Ｃｏｎｓｕｍｅｒ  Ｅｌｅｃｔｒｏｎｉｃｓ  Ｃｏｎｔｒｏｌ）により行われることを特徴とする。
本発明の映像表示装置は、テレビジョン受像機であることを特徴とする。
本発明の情報表示システムは、前記映像表示装置と前記機器とから構成されることを特徴とする。
本発明の情報表示方法は、ネットワークを介して情報を入手する機能を有する機器と接続され、前記機器から前記情報を入手し、前記情報を映像表示部で表示する映像表示装置における情報表示方法であって、前記機器を制御して、前記機器に前記情報を発信させて前記情報を入手する情報入手工程と、前記情報を映像表示部で表示させる表示工程とを有することを特徴とする。
本発明の情報表示方法は、前記表示工程の前に、前記映像表示部が過去に表示した情報の中に前記情報が含まれるか否かを判定する情報判定工程を有し、前記表示工程において、前記映像表示部が過去に表示した情報の中に前記情報が含まれない場合に、前記情報を表示することを特徴とする。
本発明の情報表示方法は、前記映像表示装置が電源オンとされる際に前記情報入手工程を行うことを特徴とする。
本発明の情報表示方法は、定期的に前記情報入手工程を行うことを特徴とする。
本発明の情報表示方法は、前記機器が情報を入手したとの通知を前記機器が前記映像表示装置に発した場合に、前記情報入手工程を行うことを特徴とする。
【発明の効果】
【００１１】
本発明によれば、ネットワーク接続された機器の保有する最新の情報を自動的かつ迅速に表示することのできる情報表示システムを得ることができる。
【発明を実施するための最良の形態】
【００１２】
以下、本発明を実施するための最良の形態について説明する。
【００１３】
（第１の実施の形態）
図１は本発明の実施の形態に係る情報表示システムの構成図である。ここでは、映像表示装置として、テレビジョンジ受像機１０が用いられている。この情報表示システム１は、家庭内において、テレビジョン受像機１０と、第１〜３の機器（それぞれ２０、３０、４０）とから構成されている。ここで、第１の機器２０はゲーム機である。第１〜３の機器はそれぞれがＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）によって、ＨＤＭＩケーブルを介してテレビジョン受像機１０と接続されている。これにより、各機器はＨＤＭＩケーブルの信号線に含まれるＣＥＣ（Ｃｏｎｓｕｍｅｒ  Ｅｌｅｃｔｒｏｎｉｃｓ  Ｃｏｎｔｒｏｌ）を用いて、テレビジョン受像機１０からの命令を受け、情報の授受を行うことができる。すなわち、テレビジョン受像機１０と第１〜３の機器２０、３０、４０とはＨＤＭＩで接続されて互いに情報の授受を行い、これらの機器はテレビジョン受像機１０とＣＥＣ制御機能を介して制御される。  
【００１４】
一方、各機器２０〜４０は、独自にネットワーク（例えばインターネット）に接続され、この家庭の外と接続され、例えばこのゲーム機に関する各種の情報を発信する情報提供サーバ５０と接続されている。なお、図１においては、第１の機器２０のみがネットワークと接続されているが、第２、第３の機器３０、４０についても同様にネットワークに接続されている。また、図１では接続される機器の数は３種類であるが、その数は任意である。
【００１５】
このテレビジョン受像機１０は、映像表示部１１、制御部１２、メモリ部１３、情報送受信部１４を備える。なお、このテレビジョン受像機１０は放送用電波を受信して映像信号を復調／復号して映像表示部１１に表示させるため、受信部、復調／復号部等も有するが、これらは本願発明とは直接関係がなく、一般的なものであるため、ここでの記載は省略する。
【００１６】
映像表示部１１は、例えば液晶ディスプレイからなり、通常は受信した放送用電波から復調／復号した映像信号を表示する。また、省略しているが、スピーカを備え、音声信号も出力する。映像表示部１１は、信号入力を切り替えることにより、第１の機器（ゲーム機）のゲームの画像や、第１〜３の機器２０、３０、４０から入手した各種の情報を表示することもできる。
【００１７】
制御部１２はマイコン等で構成され、このテレビジョン受像機１０の各構成要素を制御する。この制御を行うための情報や後述する各種の情報を記憶するため、メモリ部１３が用いられる。メモリ部１３としては電源がオフになっても記憶が消去されない不揮発性のものが好ましく用いられ、ハードディスクやフラッシュメモリ等が用いられる。
【００１８】
情報送受信部１４は、第１〜３の機器２０、３０、４０との間で通信を行う。すなわち、制御部１２からの要求に応じてこれらの機器の制御を行う信号を発信し、かつ、これらの機器から情報を受信することができる。この通信はＨＤＭＩにより行われ、機器の制御は、ＣＥＣ制御機能を用いて行われる。また、ここで送受信する情報としては、画像情報、音声情報等、任意であるが、特に、ＨＤＭＩを用いているため、大容量のデータも送受信することができる。
【００１９】
以下では、主に第１の機器２０とテレビジョン受像機１０との動作につき説明するが、第２、第３の機器３０、４０についても第１の機器２０と同様に考えることができる。
【００２０】
第１の機器（ゲーム機）２０は、利用者により使用される際に、その出力画像は、ＨＤＭＩケーブルを介してテレビジョン受像機１０に入力し、映像表示部１１で表示される。利用者は、映像表示部１１の画面を見ながら、ゲーム機２０を操作し、各種のゲームを行うことができる。なお、出力画像信号、音声信号はＨＤＭＩケーブル以外の回線によってテレビジョン受像機１０に入力させてもよい。
【００２１】
一方、ゲーム機２０はネットワーク（インターネット）に接続されている。これにより、電源がオンとされている間には、ネットワークを介して自動的に情報提供サーバ５０からこのゲーム機に関する各種の情報を入手する。この情報としては、このゲーム機２０に関する有益な情報、例えば、無料サービスの情報や、ソフトウェアのバージョン情報、各種ソフトウェアのダウンロード情報、ある日時にあるサービス供給が停止される等の情報がある。これらの情報は、ゲーム機２０におけるメモリ（図示せず）に記憶され、ゲームの待機時等、その使用に差し障りの無い時点で表示される。また、特にこのテレビジョン受像機１０においては、電源がオンとされた直後にこれらの情報が表示される。この情報の入手は、このゲーム機２０がネットワークにアクセスできる間であれば行われ、利用者がゲームを行っておらず、映像表示部１１にゲーム機の出力画像が表示されていない状態であっても行われる。
【００２２】
メモリ部１３は、ＨＤＭＩ接続された機器、すなわち、第１〜３の機器２０、３０、４０が入手し、このテレビジョン受像機１０の映像表示部１１が過去に表示した情報を記憶している。これらの情報はその登録日と共に各機器毎に登録日時毎に管理され、一括して全機器情報として記憶されている。
【００２３】
このテレビジョン受像機１０は、その電源がオンとされる際に、第１〜３の機器２０、３０、４０を制御し、これらが入手した情報を自動的に取得する。入手した情報が過去に表示されたものでないと判定された場合には、これを映像表示部１１に表示し、この情報はメモリ部１３が記憶する。図２は、この動作（情報表示方法）を示すフロー図であり、図３はこの動作における第１の機器（ゲーム機）２０と、テレビジョン受像機１０における制御部１２とメモリ部１３の動作の関係を示すシーケンス図である。
【００２４】
図２において、このテレビジョン受像機１０の電源がオンされる（Ｓ１）と、制御部１２は、情報送受信部１４を介して、現在ＨＤＭＩ接続されており、かつＣＥＣ制御機能を利用した制御が可能である機器があるか否かを調べる（Ｓ２）。このため、情報送受信部１４は、ＨＤＭＩ端子を通じて、接続されている全ての機器に、この制御が可能か否かの信号を送信する（図３：Ｓ２１）。この信号を受信した機器は、この制御が可能な状態であれば、返信する（図３：Ｓ２２）。この例では、ゲーム機２０はＣＥＣによる制御が可能であり、この返信を行う。
【００２５】
ここで、例えば接続された全ての機器の電源がオフとなっており、ＣＥＣによる制御が可能である機器が無ければ（Ｓ３）、このテレビジョン受像機１０は通常の動作を行う（Ｓ１９）。すなわち、映像表示部１１には受信したテレビ番組の映像を表示させる。
【００２６】
ＣＥＣ制御が可能である機器があれば（Ｓ３）、該当する機器との通信を開始する（Ｓ４）。ここで、ゲーム機２０がこれに該当するため、この通信が開始される。
【００２７】
この通信においては、まず、該当機器（ゲーム機２０）を、ＣＥＣ制御機能により該当機器から情報が取得できる状態にする（Ｓ５）。このため、ゲーム機２０を情報取得モードに移行させる命令を出す（図３：Ｓ５１）。これにより、ゲーム機２０は情報取得モードとなる。すなわち、記憶している情報を読み出し、出力できるモードとなる。
【００２８】
次に、制御部１２は、情報送受信部１４を介して、ゲーム機２０が、新着情報を持っているか否かを調べる（Ｓ６）。このため、新着情報の有無の確認要求を送信し（図３：Ｓ６１）、ゲーム機２０は、新着情報を記憶していれば、返信する（図３：Ｓ６２）。ここで、新着情報とは、ゲーム機２０が記憶している情報のうち、過去に制御部１２に送信していないと認識される情報であり、この情報を制御部１２に送信したか否かをゲーム機２０が記憶していることにより、ゲーム機２０が判定する。なお、新着情報は各機器において、一つであるとは限らず、例えば前回のアクセス時から時間がたっている場合には、複数の新着情報がある場合もある。この場合には、以下ではこの複数の新着情報を一つの新着情報として扱う。
【００２９】
どの機器からも返信が無く、どの機器も新着情報を持っていないと判定された場合（Ｓ７）には、このテレビジョン受像機１０は通常の動作を行う（Ｓ１９）。
【００３０】
１台以上の機器から返信があった場合は、新着情報があると判定される（Ｓ７）。ここでは、ゲーム機２０から返信があり、ゲーム機２０が新着情報を持っているとする。この場合には、情報送受信部１４は、この新着情報をゲーム機２０から入手する（Ｓ８）。このため、情報送受信部１４は、新着情報の出力を要求し（図３：Ｓ８１）、ゲーム機２０はこれを出力する（図３：Ｓ８２）。
【００３１】
制御部１２は、メモリ部１３が予め記憶している全機器情報を読み出す（Ｓ９）。このため、制御部１２は、メモリ部１３に全機器情報を出力する要求をし（図３：Ｓ９１）、メモリ部１３は全機器情報を出力する（図３：Ｓ９２）。
【００３２】
制御部１２は、読み出された全機器情報の中で、該当する機器における最新の情報と新着情報とを比較する（Ｓ１０）。これらが同一であった場合には、制御部１２は新着情報を破棄し（Ｓ１１）、新着情報を持っていると返信した機器の全てから新着情報を入手したか否かを判定する（Ｓ１４）。この場合には、ここで得られた新着情報は、既に表示しているため、実際には新着情報ではないとみなされる。該当する全ての機器から新着情報を入手していない場合には、次の機器から新着情報を入手する（Ｓ８）。
【００３３】
読み出された情報と新着情報とが異なると判定された（Ｓ１０）場合には、新着情報を映像表示部１１で表示するためのデータに用いる各種データを作成する（Ｓ１２）。このデータは例えば、画像データ、テキストデータである。その後、該当する機器の情報として新着情報を新たに全機器情報に加え、メモリ部１３に登録する（Ｓ１３）。すなわち、更新された全機器情報をメモリ部１３に送信し、メモリ部１３がこれを記憶する（図３：Ｓ１３１）。
【００３４】
次に、新着情報を持っていると返信した機器の全てから新着情報を入手したか否かを判定する（Ｓ１４）。該当する全ての機器から新着情報を入手していない場合には、次の機器から新着情報を入手する（Ｓ８）。
【００３５】
すなわち、図２におけるＳ２〜Ｓ１４の工程は、制御部１２が情報送受信部１４を介して各機器を制御し、各機器から新着情報を入手する情報入手工程となっている。また、その中でもＳ１０は、入手した情報が既に表示済みであるか否かをメモリ部１３を参照し、この中に記憶された情報の中に含まれるか否かを調べる情報判定工程となっている。
【００３６】
該当する全ての機器から新着情報を入手した場合には、メモリ部１３が記憶する全機器情報において、古い情報を削除する（Ｓ１５）。このため、メモリ部１３は記憶する全機器データの概略データを制御部１２に送信する（図３：Ｓ１５１）。この概略データとは、各情報の識別記号と、これらの登録日時とからなる。制御部１２は、現在の日時がこの登録日時から一定期間、例えば１ヶ月経過している情報を消去する指令を出す（Ｓ１５２）。これにより、メモリ部１３の記憶する全機器情報が更新される。メモリ部１３は、この更新された全機器情報を制御部１２に再度送信する（図３：１６１）。
【００３７】
制御部１２は、Ｓ１２で作成された各種データに基づき、出力用データを作成する（Ｓ１６）。この出力用データには、得られた各新着情報が該当する機器毎に表示される。この出力データがテレビジョン受像機１０の映像表示部１１に表示される（Ｓ１７）。この表示は、本来このテレビジョン受像機１０が表示する画像（テレビ番組の映像やゲーム機の画像）に重畳させて画面の一部に表示される。また、この表示のみを一時的にフルスクリーンで表示してもよい。
【００３８】
次に、制御部１２は、ここで表示された新着情報が表示された旨をメモリ部１３に送信し（図３：Ｓ１８１）、メモリ部１３はこれを記憶する（Ｓ１８）。
【００３９】
すなわち、図２におけるＳ１６、Ｓ１７の工程は、得られた新着情報を表示する表示工程となっている。なお、前記の情報判定工程（Ｓ１０）は、情報入手工程の中で行われたが、情報が入手された後で、かつこの表示工程の前に行われればよい。
【００４０】
以上の工程により、このテレビジョン受像機１０の電源がオンとなった場合には、ＨＤＭＩ接続された各機器に新着情報が来ている場合に、これらの新着情報が映像表示部１１に表示される。従って、利用者は、これらの新着情報をテレビジョン受像機１０の電源オンと同時に知ることができる。また、一般に、テレビジョン受像機１０は家庭内で最も使用頻度の高い機器であり、ほぼ毎日使用されるため、利用者は自動的に各機器の新着情報をほぼ毎日自動的に確認することができる。従って、接続された機器の保有する最新情報を自動的かつ迅速に表示することができる。例えば、この新着情報が該当する機器のソフトウェアのバージョン情報である場合には、利用者は、この表示を見た上で、この機器を操作し、新しいバージョンのソフトウェアをダウンロードすることができる。
【００４１】
また、利用者がまだ見ていない新着情報のみが表示されるため、その情報量は必要最小限であり、利用者が本来このテレビジョン受像機１０で見たい画像を損ねることなく、表示することができる。
【００４２】
また、テレビジョン受像機１０と他の機器２０、３０、４０とはＨＤＭＩで接続されているため、テキストデータだけでなく、ファイル容量が比較的大きな画像データのやりとりも容易である。従って、各機器が画像データを新着情報として入手した場合でも、これを情報送受信部１４に送信して映像表示部１１に表示させることが容易である。
【００４３】
また、メモリ部１３は、過去に各機器から得られた情報を記憶しているため、各機器を操作することなく、テレビジョン受像機１０を利用者が操作するだけで、これらの情報を再度確認することもできる。
【００４４】
なお、上記の例では、テレビジョン受像機１０の電源オン時（Ｓ１）に新着情報を各機器から入手してテレビジョン受像機１０の映像表示部１１で表示させたが、これに限られるものではない。例えば、電源オン時ではなく、このテレビジョン受像機１０の電源がオンとされている間に定期的にこれを行うこともできる。この場合には、図２のフロー図において、電源オン（Ｓ１）の代わりに、定期的、例えば１時間間隔でＳ２以降の工程（情報入手工程以降）を行わせればよい。この方法と図２に示した方法とを兼用することもできる。
【００４５】
また、機器が新着情報を入手した場合には、これをテレビジョン受像機１０側に送信し、これ以降に情報入手工程を行わせることもできる。この場合のフロー図を図４に示す。
【００４６】
この場合、テレビジョン受像機１０が通常動作をしている（Ｓ１０１）状態を初期状態とする。各機器は、新着情報を入手した場合には、信号をＨＤＭＩによって送信できるものとする。テレビジョン受像機１０が通常動作をしている間に、制御部１２がいずれかの機器からこの信号を受けた場合（Ｓ１０２）には、図２におけるＳ７以降の工程が同様に行われる。すなわち、制御部１２がこの信号を受信した場合に、この信号を発した機器及び他の機器についても新着情報があるかどうかが調べられ、その時点で新着情報と認識されたものが表示され、かつメモリ部１３に記憶される。その後、再び通常動作をする初期状態（Ｓ１０１）に戻る。この方法も図２に示した方法、および／または定期的に情報入手工程を行う前記の方法と兼用することもできる。
【００４７】
また、上記の例では、新着情報として各機器が認識する情報を各機器が制御部１２に送信する（Ｓ８）ものとしたが、各機器をアクセスした日時をメモリ部１３が記憶しており、この日時のデータを情報送受信部１４が各機器に送信し、各機器はこの日時よりも後に入手した情報を新着情報として情報送受信部１４に送信してもよい。この場合、得られた新着情報が既にメモリ部１３が記憶しているか否かの判定（Ｓ１０）、得られた新着情報の破棄（Ｓ１１）等の工程は省略することができる。すなわち、情報判定工程は不要である。
【００４８】
以上の形態においては、テレビジョン受像機と接続され、その情報が表示される機器がゲーム機であるとしたが、これに限られるものではなく、ネットワーク接続され、新着情報を自動的に入手する機器であれば、同様に用いることができる。
【００４９】
また、例えば特許文献１に記載のシステムにおいては、テレビジョン受像機自体が携帯電話機の機能をもつ構成要素を有しているのに対して、上記の形態においては、上記の機能をもつ制御部１２とＨＤＭＩによって機器との接続を行う情報送受信部１４を有するだけでよい。従って、ＨＤＭＩによって接続され、ＣＥＣ制御機能による制御ができる機器であれば、このテレビジョン受像機と接続させてこの情報表示システムを構築することができる。従って、様々な機器に対応させることが容易である。
【００５０】
また、上記の形態においては、映像表示装置としてテレビジョン受像機を用いた場合につき説明したが、上記の機能を有する映像表示部、制御部、メモリ部、及び情報送受信部を有するものであれば、同様に用いることができる。すなわち、放送用信号を受信してテレビ番組を視聴させる機能を有している必要はない。
【００５１】
なお、テレビジョン受像機と各機器との接続にＨＤＭＩが用いられ、ＣＥＣによる制御が用いられたが、大容量のデータのやりとりが可能であり、かつテレビジョン受像機側から各機器の制御が可能であれば、他の型式の通信方式を用いることもできる。
【図面の簡単な説明】
【００５２】
【図１】本発明の実施の形態となる情報表示システムの構成を示す図である。
【図２】本発明の実施の形態となる情報表示方法の一例を示すフロー図である。
【図３】本発明の実施の形態となる情報表示方法の一例におけるシーケンス図である。
【図４】本発明の実施の形態となる情報表示方法の他の一例を示すフロー図である。
【符号の説明】
【００５３】
１  情報表示システム
１０  テレビジョン受像機（映像表示装置）
１１  映像表示部
１２  制御部
１３  メモリ部
１４  情報送受信部
２０  第１の機器（ゲーム機）
３０  第２の機器
４０  第３の機器
５０  情報提供サーバ
【図１】
2009021925.tif 000003
【図２】
2009021925.tif 000004
【図３】
2009021925.tif 000005
【図４】
2009021925.tif 000006